(57)【要約】【課題】本発明は従来存在しなかった、磁力線によるオーラ（単磁荷エネルギー）発生装置を提供する。【解決手段】同じ大きさの円形磁力線で、円の中心位置が異なるものを４種類組み合わせる。１種類の円形磁力線上の点で、円形磁力線を３等分する３点を、３種類の円形磁力線の中心点とする。中心の円形磁力線と、周囲３種類の円形磁力線では、磁力線の回転が逆方向になるように、磁力線を組み合わせる。磁力線の回転方向は時計回り、反時計回りの２通りあるため、磁力線の組合せ方法は２通りになる。４種類の円形磁力線を含む平面が、引力方向と直行するように、磁力線の方向を定める。このオーラ（単磁荷エネルギー）発生装置により、オーラ（単磁荷エネルギー）を発生させる。【選択図】図１
2013116249.tif 000002
【特許請求の範囲】
【請求項１】
４種類の同じ大きさの円形磁力線を、中心の円形磁力線を３等分する位置が３種類の円形磁力線の中心になるように組み合わせる。中心の円形磁力線とその他３種類の円形磁力線では、磁力線を互いに逆方向に回転させる。円形磁力線の回転方向は時計回り、反時計回りの２通りあるため、円形磁力線の組合せ方法は２通りになる。このような円形磁力線の組合せによりオーラ（単磁荷エネルギー）を発生させる、オーラ（単磁荷エネルギー）発生装置。
【発明の詳細な説明】
【技術分野】
【０００１】
本発明は、オーラ（単磁荷エネルギー）発生装置に関するものである。
【背景技術】
【０００２】
従来、磁力線を用いてオーラ（単磁荷エネルギー）を発生させる装置は存在しなかった。単磁荷は従来の科学では未発見である。
【発明の概要】
【発明が解決しようとする課題】
【０００３】
従来、磁力線を用いるオーラ（単磁荷エネルギー）発生装置は存在しなかった。本発明は、この課題を解消するためになされたものである。
【課題を解決するための手段】
【０００４】
同じ大きさの円形磁力線で、円の中心位置が異なるものを４種類組み合わせる。１種類の円形磁力線上の点で、円形磁力線を３等分する３点を、３種類の円形磁力線の中心点とする。中心の磁力線と、周囲の３種類の磁力線では、磁力線の回転が逆方向になるように、磁力線を組み合わせる。４種類の円形磁力線を含む平面が、引力方向と直行するように、磁力線の方向を定める。磁力線の回転方向は時計回り、反時計回りの２通りあるため、磁力線の組合せ方法は２通りになる。科学では証明されていないが、これらの磁力線の組合せで、中心円の中心部からオーラ（単磁荷エネルギー）が放射されるのである。
【０００５】
これらの円形磁力線を、磁石を用いて構成する。同じ大きさの円形の磁石を４つ組み合わせる。複数の磁石をつなげて円形磁石を構成することも可能。円形磁石を電磁石の組合せで構成することも可能。また、円形磁石を磁石と電磁石の組合せで構成することも可能である。円形磁石内部の磁力線が磁石の円形方向になるように、磁石のＮ極とＳ極を配置する。中心に１つの円形磁石、周囲に３つの円形磁石を配置する。中心の円形磁石上の点で、円形磁石を３等分する３点を、周囲に配置する３つの円形磁石の中心とする。４つの円形磁石で構成される平面が、引力方向と直行するように磁石を配置する。中心の円形磁石と、周囲の３つの円形磁石では、磁力線の回転方向が逆方向になるように円形磁石を配置する。磁力線の回転方向は時計回り、反時計回りの２通りあるため、磁石の組合せ方法は２通りになる。
【発明の効果】
【０００６】
本発明により、オーラ（単磁荷エネルギー）の生成が可能となる。単磁荷エネルギーは人の活動エネルギーであるため、健康維持、回復に効果がある。医療器具として使用可能である。また、人の精神を調和させる作用があるため、ストレス解消にも効果的である。台風や地震の本質的な原因は人の不調和な精神にあるため、本発明は台風や地震の消去にも効果的である。単磁荷エネルギーには浮力（反重力）としての作用があるため、浮力エネルギーとしても利用できる。単磁荷は単電荷（電子）と同様にエネルギー源であるため、電磁気エネルギー生成装置としても使用できる。
【図面の簡単な説明】
【０００７】
【図１】図１の上図はオーラ発生装置の磁力線。矢印が磁力線の方向を示す。図１の下図は上図の磁力線を用いたオーラ（単磁荷エネルギー）発生装置の実施方法を示した説明図である。（実施例１）。尚、磁石の太さは円の大きさに比べて僅少であるため、断面図は省略。円形磁石のＮ極とＳ極の間の隙間は僅少であり、実線にて記載。
【図２】図２の上図はオーラ発生装置の磁力線。矢印が磁力線の方向を示す。磁力線の方向が図１の逆方向である。図２の下図は上図の磁力線を用いたオーラ（単磁荷エネルギー）発生装置の実施方法を示した説明図である。（実施例２）。図１と同様の理由で断面図は省略。円形磁石のＮ極とＳ極の間の隙間は僅少であり、実線にて記載。
【発明を実施するための形態】
【０００８】
同じ大きさの円形の磁石を４つ組み合わせる。円形磁石内部の磁力線が磁石の円形方向になるように、磁石のＮ極とＳ極を配置する。中心に１つの円形磁石、周囲に３つの円形磁石を配置する。中心の円形磁石上の点で、円形磁石を３等分する３点を、周囲に配置する３つの円形磁石の中心とする。４つの円形磁石で構成される平面が、引力方向と直行するように磁石を配置する。中心の円形磁石と、周囲の３つの円形磁石では、磁力線の回転方向が逆方向になるように円形磁石を配置する。磁力線の回転方向は時計回り、反時計回りの２通りあるため、磁力線の組合せ方法は２通りになる。これら２種類の磁力線組合せ方法を実現するために、図１下図のＮ極とＳ極を入れ替えたのが図２下図。図１、図２共にオーラ（単磁荷エネルギー）が発生する。
【符号の説明】
【０００９】
１    円形磁力線
２    円形磁石
３    Ｎ極
４    Ｓ極
【図１】
2013116249.tif 000003
【図２】
2013116249.tif 000004
【手続補正書】
【提出日】平成25年3月5日(2013.3.5)
【手続補正１】
【補正対象書類名】特許請求の範囲
【補正対象項目名】請求項１
【補正方法】変更
【補正の内容】
【請求項１】
４種類の同じ大きさの円形磁力線を、中心の円形磁力線を３等分する位置が３種類の円形磁力線の中心になるように組み合わせる。中心の円形磁力線とその他３種類の円形磁力線では、磁力線を互いに逆方向に回転させる。円形磁力線の回転方向は時計回り、反時計回りの２通りあるため、円形磁力線の組合せ方法は２通りになる。このような円形磁力線の組合せによりオーラ（単磁荷エネルギー）を発生させる、オーラ（単磁荷エネルギー）発生装置。
単磁荷とは単一の磁荷（N極、もしくはS極）のみを持つもののことであり、物理学で一般的に用いられる用語である。但し、物理学では未発見である。本発明で使用する「オーラ（単磁荷エネルギー）」とは、この物理学で未発見の単磁荷によるエネルギーのことである。
【手続補正書】
【提出日】平成25年3月5日(2013.3.5)
【手続補正１】
【補正対象書類名】明細書
【補正対象項目名】０００２
【補正方法】変更
【補正の内容】
【０００２】
従来、磁力線を用いてオーラ（単磁荷エネルギー）を発生させる装置は存在しなかった。単磁荷とは単一の磁荷（N極、もしくはS極）のみを持つもののことであり、物理学で一般的に用いられる用語である。但し、物理学では未発見である。本発明で使用する「オーラ（単磁荷エネルギー）」とは、この物理学で未発見の単磁荷によるエネルギーのことである。
【手続補正２】
【補正対象書類名】明細書
【補正対象項目名】０００８
【補正方法】変更
【補正の内容】
【０００８】
同じ大きさの円形の磁石を４つ組み合わせる。円形磁石内部の磁力線が磁石の円形方向になるように、磁石のＮ極とＳ極を配置する。中心に１つの円形磁石、周囲に３つの円形磁石を配置する。中心の円形磁石上の点で、円形磁石を３等分する３点を、周囲に配置する３つの円形磁石の中心とする。４つの円形磁石で構成される平面が、引力方向と直行するように磁石を配置する。中心の円形磁石と、周囲の３つの円形磁石では、磁力線の回転方向が逆方向になるように円形磁石を配置する。磁力線の回転方向は時計回り、反時計回りの２通りあるため、磁力線の組合せ方法は２通りになる。これら２種類の磁力線組合せ方法を実現するために、図１下図のＮ極とＳ極を入れ替えたのが図２下図。図１、図２共にオーラ（単磁荷エネルギー）が発生する。
逆に、単磁荷エネルギー（引力の逆方向）が発生すると、水平方向の磁界（多数の円形）が発生する。これが図１及び図２における４つの円形の磁力線である。円の大きさは様々であり、特定されない。単磁荷エネルギーで磁界を発生させると、電磁誘導により電界が発生し、電流が流れる。私たちは肉体を動かす際、脳に電流を発生させる。この電流を発生させる時に使用するエネルギーが単磁荷エネルギーである。
オーラ（単磁荷エネルギー）の確認方法を以下に説明する。全ての存在は認識の結果である。認識は２種類の意識の相互作用で成立する。この２意識は互いに直行している。この２意識が物理学の電界と磁界に相当する。単電荷（電子）が発見され、単磁荷が未発見だったのは、認識の主体が磁界で、客体が電界のためである。磁界は認識の客体ではないため、単磁荷は測定されなかったのである。単磁荷を測定するためには、認識の主体と客体を入替え、主体が電界、客体が磁界の状態を実現する必要がある。これを実現するためには、認識方法を９０°方向転換すればよい。通常の認識では、視線方向が主体、その直行成分が客体になる。これを９０°回転させると、視線方向の成分が客体になり、認識可能になる。これが単磁荷を認識する方法である。本発明で単磁荷エネルギーが発生していることは、上記の方法で確認した。尚、単磁荷は物理学で未発見のため、測定装置は存在しない。よって、機械的に測定を行うことはできない。もし単磁荷測定装置を開発すれば、それ自体が特許申請に相当する発明である。